(57)【要約】      （修正有）【課題】アクチュエータが回動動作中に絶縁ハウジングから外れることを防止するＦＰＣ用電気コネクタを提供する。【解決手段】ＦＰＣ用電気コネクタは、絶縁ハウジングと、絶縁ハウジングの基部に装着され、軸支部を有する端子と、前記絶縁ハウジングに組み付けられるアクチュエータと、を含む。絶縁ハウジングは、基部と、収容溝がそれぞれ形成される係止部と、を含む。アクチュエータは、ＦＰＣに圧接するための加圧部材と、加圧部材の両端部から延在するように絶縁ハウジングの収容溝に回動自由に係合されるカム部と、を含み、加圧部材には端子の軸支部に回動自由に係合される軸部を有する。アクチュエータは、絶縁ハウジングの収容溝に回動自由に係合するカム部と端子の軸支部に回動自由に係合される軸部により、回動動作中に絶縁ハウジングから外れることを防止できる。【選択図】図１
0003118871.tif 000002
【実用新案登録請求の範囲】
【請求項１】
基部と、基部の両端部からそれぞれ延在するように形成される係止部と、を含み、前記係止部には、収容溝がそれぞれ形成される絶縁ハウジングと、
前記絶縁ハウジングの基部に装着され、軸支部を有する端子と、
前記絶縁ハウジングに組み付けられ、ＦＰＣに圧接するための加圧部材と、
前記加圧部材の両端部から延在するように、前記絶縁ハウジングの収容溝に回動自由に係合されるカム部と、を含み、
前記加圧部材が、前記端子の軸支部に回動自由に係合する軸部を有するアクチュエータを含む、ＦＰＣを接続することに用いられるＦＰＣ用電気コネクタにおいて、
前記アクチュエータは、
前記絶縁ハウジングの収容溝に回動自由に係合されるカム部と前記端子の軸支部に回動自由に係合される軸部により、回動動作中に絶縁ハウジングから外れることを防止できることを特徴とするＦＰＣ用電気コネクタ。
【請求項２】
前記端子は、
第１端子と、
第２端子と、を含み、
前記軸支部が前記第１端子に形成されること特徴とする、請求項１に記載のＦＰＣ用電気コネクタ。
【請求項３】
前記加圧部材は、
ＦＰＣを圧接する加圧面と、
該加圧部材の一側を貫通するように形成される複数の貫通溝と、
前記各貫通溝の間に形成される凸リブと、
を含み、
前記軸部は、前記貫通溝の内側壁に形成されること特徴とする、請求項１に記載のＦＰＣ用電気コネクタ。
【請求項４】
前記第１端子は、
前記軸支部が形成される枢支アームと、
前記絶縁ハウジングに保持される第１保持部と、
ＦＰＣに接続する第１コンタクト部と、
を含むことを特徴とする、請求項２に記載のＦＰＣ用電気コネクタ。
【請求項５】
前記第２端子は、ｈ字形状を呈し、
前記絶縁ハウジングに保持される第２保持部と、
前記第２保持部と同一方向に向けて延在するように形成される第２コンタクト部と、を含むことを特徴とする、請求項２に記載のＦＰＣ用電気コネクタ。
【請求項６】
前記絶縁ハウジングには、ＦＰＣと前記アクチュエータとを組み込むための上方開口部が設けられること特徴とする、請求項１に記載のＦＰＣ用電気コネクタ。
【考案の詳細な説明】
【技術分野】
【０００１】
本考案は、ＦＰＣ、ＦＦＣ等と一般に呼ばれている平型柔軟ケーブル（本願明細書では、これらを総称して単に「ＦＰＣ」という）をプリント基板に接続するために用いられるＦＰＣ用電気コネクタに関するものである。
【背景技術】
【０００２】
従来のＦＰＣ用コネクタは、通常、ＦＰＣ挿入部が形成された絶縁ハウジングと、絶縁ハウジングに所定のピッチで横並びに装着された複数の端子と、ＦＰＣの接点と端子のコンタクトを当接させるために、回動可能に設けられたアクチュエータと、で構成されている。
【０００３】
従来のＦＰＣ用コネクタは、特許文献１に示すように、前記アクチュエータの長手方向には、円筒面の一部を構成するカム部が形成され、前記絶縁ハウジングには、前記アクチュエータのカム部を回動自由に支持するように構造として、その長手方向の両端部には、回動支持機能を有する凹曲面が形成される。このようなアクチュエータが絶縁ハウジング内に組付けられるに際し、ＦＰＣは、前記アクチュエータが絶縁ハウジングに対して略直角の立上がった姿勢の開放状態で、絶縁ハウジングのＦＰＣ挿入部に装着され、前記アクチュエータが絶縁ハウジングに対して略平行な姿勢の閉鎖状態で、ＦＰＣは、前記アクチュエータに押圧されることにより、その接点が前記端子と接続するようになる。
【特許文献１】特許公告平４−３３６７１号明細書
【０００４】
しかしながら、前記アクチュエータは、閉鎖状態に向けて回動する際に、前記カム部は、絶縁ハウジングの回動支持機能を有する凹曲面に作用する加圧力を増大させることで、その結果、前記カム部は、反力として上向きの力を受ける。前記アクチュエータのカム部を回動自由に支持している凹曲面は、上方に開口しており、前記反力が大きいとカム部が前記凹曲面から外れる恐れがある。
【考案の開示】
【考案が解決しようとする課題】
【０００５】
本考案は、上述した事情に鑑みてなされたものであり、アクチュエータが回動動作中に絶縁ハウジングから外れることを防止するＦＰＣ用電気コネクタを提供することを目的とする。
【課題を解決するための手段】
【０００６】
前記目的を達成するために、本考案のＦＰＣを接続するために用いられるＦＰＣ用電気コネクタは、絶縁ハウジングと、前記絶縁ハウジングの基部に装着され、軸支部を有する端子と、前記絶縁ハウジングに組み付けられるアクチュエータと、を含む。前記絶縁ハウジングは、基部と、該基部の両端部からそれぞれ延在するように形成される係止部と、を含み、前記係止部には、収容溝がそれぞれ形成される。前記アクチュエータは、ＦＰＣに圧接するための加圧部材と、前記加圧部材の両端部から延在するように、前記絶縁ハウジングの収容溝に回動自由に係合されるカム部と、を含み、前記加圧部材は、前記端子の軸支部に回動自由に係合する軸部を有する。
【考案の効果】
【０００７】
従来の技術に比較して、本考案は以下の効果を有する。本考案のアクチュエータは、前記絶縁ハウジングの収容溝に回動自由に係合されるカム部と前記端子の軸支部に回動自由に係合される軸部とにより、回動動作中に絶縁ハウジングから外れることを防止できる。
【考案を実施するための最良の形態】
【０００８】
図１及び図４に基づいて、本考案のＦＰＣ用電気コネクタ１について説明する。本考案のＦＰＣ用電気コネクタ１は、絶縁ハウジング２と、該絶縁ハウジング２に横並びに並設された複数の第１端子３及び第２端子４と、前記絶縁ハウジング２に回動自由に支持されるアクチュエータ５と、を含んでいる。
【０００９】
前記絶縁ハウジング２は、長手形状を呈する基部２０と、該基部２０の両端部からそれぞれ延在するように形成される係止部２１と、ＦＰＣとアクチュエータ５を組み込むための上方開口部（参照付号なし）と、を有し、前記基部２０の両長手方向の両側には、前記第１端子３と第２端子４がそれぞれ装着される複数の端子溝２００、２０１が設けられる。前記係止部２１には、前記アクチュエータ５を回動自在に支持するように、凹弧曲面を呈する収容溝２１１がそれぞれ形成される。
【００１０】
前記アクチュエータ５は、前記絶縁ハウジング１に取付けられ、長手形状の圧部材５０と、該加圧部材５０の両端部から突設するように、前記絶縁ハウジング２の収容溝２１１に係合するカム部５１と、を有する。前記加圧部材５０には、ＦＰＣ(図示せず)を圧接する加圧面５０１と、該加圧部材５０の一側を貫通するように形成される複数の貫通溝５０３と、前記各貫通溝５０３の間に形成される凸リブ５０２と、を含み、前記貫通溝５０３の内側壁（図示せず）には、前記第１端子３に接続するように形成される軸部５０４が設けられる。
【００１１】
前記第１端子３は、前記絶縁ハウジング２の後方から、前記端子溝２００内に装着され、前記絶縁ハウジング２に干渉し保持される第１保持部３１と、前記ＦＰＣに接続するように形成される第１コンタクト部３２と、前記アクチュエータ５の軸部５０４に回動自由に係合する枢支アーム３０と、回路基板（図示せず）に半田付けられるテール部３３と、を含み、前記第１保持部３１及び前記第１コンタクト部３２と、枢支アーム３０と、は、同一方向に向けて、平行に延在するように形成される。前記アクチュエータ５は、前記枢支アーム３０の軸支部３００が軸部５０４に回動自由に係合することにより、開放位置と閉鎖位置との間に自由に回動できる。
【００１２】
前記第２端子４は、ｈ字形状を呈し、前記絶縁ハウジング２の前方から、前記絶縁ハウジング２の端子溝２０１内に装着し、前記絶縁ハウジング２に干渉して保持される第２保持部４０と、前記第２保持部４０と同一方向に向けて平行に延在し、ＦＰＣに接続するように形成される第２コンタクト部４１と、回路基板（図示せず）に半田付けされるテール部４２と、を含む。前記第１端子３と第２端子４とは、SMT（Surface Mounting Technology）を通じて回路基板に実装される際に、これらのテール部３３、４２が回路基板に半田付けされる。
【００１３】
取付時に、先に、前記第１端子３と第２端子４は、前記絶縁ハウジング２の前後方から、前記端子溝２００、２０１内にそれぞれ装着され、次に、前記アクチュエータ５は絶縁ハウジング２の上方開口部に組み付けられ、そのカム部５１が絶縁ハウジング２の収容溝２１１内に収容され、その加圧部材５０の軸部５０４が第１端子３の枢支アーム３０の軸支部３００に支持されて係合する。こうして、前記アクチュエータ５は、絶縁ハウジング２の収容溝２１１と第１端子３の支持部３００を支持点として回動できる。
【００１４】
前記アクチュエータ５が絶縁ハウジング２に対して略直角の立上がった姿勢の開放状態で、ＦＰＣは、ゼロ挿入力で前記絶縁ハウジング２の上方開口部に挿入され、この時、ＦＰＣが前記第１端子３の第１コンタクト部３２と第２端子４の第２コンタクト部４１とにまだ確実に接続されず、前記ＦＰＣが完全に挿入した際に、前記アクチュエータ５を絶縁ハウジング２に対して略平行な姿勢の閉鎖状態に位置すると、ＦＰＣが前記アクチュエータ５に押圧されることにより、その接点が前記第１コンタクト部３２と第２コンタクト部４１に接続するようになる。
【００１５】
前記アクチュエータ５のカム部５１が前記絶縁ハウジング２の収容溝２１１に回動自由に支持され、かつ、前記加圧部材５０の軸部５４が、前記第１端子３の軸支部３００に回動自由に係合し、これにより、前記アクチュエータ５は、回動動作中に絶縁ハウジング２から外れることを防止できる。
【００１６】
総じて、本考案の多数の特徴及び長所など、その構造及び機能が共に前述の記載により掲げられている。また前記の説明は、本考案に基づきなし得る細部の修正或は変更など、いずれも本考案の請求範囲に属するものである。
【図面の簡単な説明】
【００１７】
【図１】本考案に係るＦＰＣ用電気コネクタの分解斜視図である。
【図２】本考案に係るＦＰＣ用電気コネクタの組合わせ図である。
【図３】本考案に係るＦＰＣ用電気コネクタのアクチュエータが開放位置に位置する断面図である。
【図４】本考案に係るＦＰＣ用電気コネクタのアクチュエータが閉鎖位置に位置する断面図である。
【符号の説明】
【００１８】
１  ＦＰＣ用電気コネクタ
２  絶縁ハウジング
３  第１端子
４  第２端子
５  アクチュエータ
２０  基部
２１  係止部
３０  枢支アーム
３１  第１支持部
３２  第１コンタクト部
３３、４２  テール部
４０  第２支持部
５０  加圧部材
５１  カム部
４１  第２コンタクト部
２００、２０１  端子溝
２１１  収容溝
３００  軸支部
５０４  軸部
【図３】
0003118871.tif 000003
【図４】
0003118871.tif 000004
【図１】
0003118871.tif 000005
【図２】
0003118871.tif 000006